(57)【要約】【課題】本発明は、利用者が時間的、地理的に制約されずに必要な診断情報を簡単、迅速に取得することができる医療情報統合管理装置の提供を目的とする。【解決手段】本発明の医療情報統合管理装置１は、医療情報を取得する手段１１及び蓄積するデータベース１２と、外部機器を接続可能な機器インターフェイス１３と、医療に関する情報に基づいて、利用者の症状データに対応する疾病名データ及び対処法データの候補群と、各候補に関連した確率指標を生成し、利用者へ提示する医療情報処理手段１４と、利用者からの要求に応じて、医療関係機関に対する受診予約情報を作成する医療関係機関情報処理手段１５と、利用者のスケジュール情報を保持、管理し、通知情報を利用者へ提示するスケジュール処理手段１６と、を有する。【選択図】　　　　図１
2004005263.tif 000002
【特許請求の範囲】
【請求項１】
利用者に個人向け医療サービスを提供するコンピュータベースの医療情報統合管理装置であって、
少なくとも二次記憶装置から医療に関する情報を取得する情報取得手段と、
医療に関する情報を蓄積するデータベースと、
入力機器及び出力機器を含む少なくとも１台の外部機器を接続可能な機器インターフェイスと、
上記情報取得手段及び上記データベースからの医療に関する情報に基づいて、上記機器インターフェイスを介して入力された利用者の症状データを処理し、症状データに対応する疾病名データ及び対処法データの候補群と、各候補に関連した確率指標を生成し、生成された候補群及び確率指標を上記機器インターフェイスを介して利用者へ提示する医療情報処理手段と、
上記機器インターフェイスを介する利用者からの要求に応じて、医療機関と健康機関を含む医療関係機関に対する受診予約情報を作成する医療関係機関情報処理手段と、
医療関係機関に関連した受診予約情報、薬剤摂取予定情報、及び、ケア関連予定情報のうちの少なくとも一つを含むスケジュール情報を保持し、上記機器インターフェイスを介して与えられる利用者からの要求に応じてスケジュール情報を管理し、上記機器インターフェイスを介してスケジュール情報に応じた通知情報を利用者へ提示するスケジュール処理手段と、
を有する医療情報統合管理装置。
【請求項２】
外部機器とネットワークを介して情報の送受信を行う通信インターフェイスを更に有し、
上記情報取得手段は、上記通信インターフェイスを介して接続された情報サーバからも医療に関する情報を取得するよう構成され、
上記医療関係機関情報処理手段は、上記通信インターフェイスを介して接続された医療関係機関の端末へ受診予約情報を送信し、上記医療関係機関の端末から診断及び治療に関する情報を受信するよう構成されている、
請求項１記載の医療情報統合管理装置。
【請求項３】
利用者の認証を必要とするタイプの情報を通信するための情報を管理し、ネットワークを介して接続された外部機器との間で認証処理を行う認証情報管理手段を更に有する請求項２記載の医療情報統合管理装置。
【請求項４】
医療サービスの利用情報を、情報閲覧ソフトウェアによって閲覧できるように、時系列的に記録・保持する利用履歴情報管理手段を更に有する請求項１乃至３のうちいずれか一項記載の医療情報統合管理装置。
【請求項５】
上記機器インターフェイスは、入力機器と、表示出力機器と、音声入出力機器と、生体センサ機器のうちから選択された少なくとも１台の機器と接続されるよう構成されている、請求項１乃至４のうちいずれか一項記載の医療情報統合管理装置。
【請求項６】
利用者に個人向け医療サービスを提供するコンピュータベースの医療情報統合管理方法であって、
医療に関する情報を取得し、データベースに蓄積する手順と、
機器インターフェイスを介して利用者の症状データを入力する手順と、
データベースに蓄積された医療に関する情報に基づいて、症状データを処理し、症状データに対応する疾病名データ及び対処法データの候補群と、各候補に関連した確率指標を生成する手順と、
生成された候補群及び確率指標を上記機器インターフェイスを介して利用者へ提示する手順と、
上記機器インターフェイスを介して利用者によって与えられたスケジュール情報を管理し、通知要求が付されたスケジュール情報の指定日時に到達した場合に、通知要求が付されたスケジュール情報を上記機器インターフェイスを介して利用者へ通知する手順と、
を有する医療情報統合管理方法。
【請求項７】
医療サービスの利用情報を、情報閲覧ソフトウェアによって閲覧できるように、時系列的に記録・保持する手順を更に有する請求項６記載の医療情報統合管理方法。
【請求項８】
上記機器インターフェイスを介する利用者からの要求に応じて、医療機関と健康機関を含む医療関係機関に対する受診予約情報を作成する手順と、
通信インターフェイスを介して接続された医療関係機関の端末へ受診予約情報を送信する手順と、
上記通信インターフェイスを介して上記医療関係機関の端末から診断及び治療に関する情報を受信する手順と、
を更に有する請求項６又は７記載の医療情報統合管理方法。
【請求項９】
上記スケジュール情報には、医療関係機関に関連した受診予約情報、薬剤摂取予定情報、及び、ケア関連予定情報のうちの少なくとも一つが含まれている、請求項８記載の医療情報統合管理方法。
【請求項１０】
少なくともコンピュータの二次記憶装置から医療に関する情報を取得する情報取得機能と、
医療に関する情報をデータベースに蓄積する機能と、
入力機器及び出力機器を含む少なくとも１台の外部機器を接続可能な機器インターフェイス機能と、
上記医療に関する情報に基づいて、上記入力機器によって入力された利用者の症状データを処理し、症状データに対応する疾病名データ及び対処法データの候補群と、各候補に関連した確率指標を生成し、生成された候補群及び確率指標を上記出力機器を介して利用者へ提示する医療情報処理機能と、
上記入力機器を介した利用者からの要求に応じて、医療機関と健康機関を含む医療関係機関に対する受診予約情報を作成する医療関係機関情報処理機能と、
医療関係機関に関連した受診予約情報、薬剤摂取予定情報、及び、ケア関連予定情報のうちの少なくとも一つを含むスケジュール情報を保持し、上記入力機器を介して与えられる利用者からの要求に応じてスケジュール情報を管理し、上記出力機器を介してスケジュール情報に応じた通知情報を利用者へ提示するスケジュール処理機能と、
を、利用者に個人向け医療サービスを提供するコンピュータに実現させるための医療情報統合管理プログラム。
【請求項１１】
外部機器とネットワークを介して情報の送受信を行う通信インターフェイス機能と、
ネットワークを介して接続された情報サーバから医療に関する情報を取得する機能と、
ネットワークを介して接続された医療関係機関の端末へ受診予約情報を送信し、上記医療関係機関の端末から診断及び治療に関する情報を受信する機能と、
を更にコンピュータに実現させるための請求項１０記載の医療情報統合管理プログラム。
【請求項１２】
利用者の認証を必要とするタイプの情報を通信するための情報を管理し、ネットワークを介して接続された外部機器との間で認証処理を行う認証情報管理機能を更にコンピュータに実現させるための請求項１１記載の医療情報統合管理プログラム。
【請求項１３】
医療サービスの利用情報を、情報閲覧ソフトウェアによって閲覧できるように、時系列的に記録・保持する利用履歴情報管理機能を更にコンピュータに実現させるための請求項１０乃至１２のうちいずれか一項記載の医療情報統合管理プログラム。
【発明の詳細な説明】
【０００１】
【発明の属する技術分野】
本発明は、医療を受け、或いは、医療情報を取得する利用者へ提供される各種の医療情報を統合管理する医療情報統合管理装置、医療情報統合管理方法及び医療情報統合管理プログラムに関する。
【０００２】
【従来の技術】
各種医療行為において、医療を受ける側（以下、利用者）が疾病に起因すると考えられる現象（症状）から該当する疾病名及び対処方法に関する情報（一般に、診断情報）を取得するには、各種医療機関にて医師の診断・診察を受けるか、限られた資料から症状と疾病の対応を探し出す必要がある。
【０００３】
利用者は、各種医療機関にて受診するには、往診を受ける場合を除いて、各種医療機関の所在地へ物理的に移動している。また、利用者は、診断情報を得るまでには一定以上の時間と労力が必要となる。また、各種医療機関にて受診するには、場合によっては電話等による診療予約が必要となる。
【０００４】
また、受診に際しては、利用者が常用する医療機関（利用者に関するカルテが存在する医療機関）以外の医療機関では、常に利用者情報を伝達することが必要となり、筆記や口述など、疾病治療や診断とは本質的に無関係な時間と労力が要求されている。
【０００５】
【発明が解決しようとする課題】
医療機関は、救急機関や当番病院等を除き、一般的に平日日中の限られた時間帯でしか利用出来ないため、当該時間外において、利用者が自発的且つ主体的に症状に対する原因候補や症例候補、対処候補等を取得することは困難である。
【０００６】
また、一般に利用者は、医療に対する専門知識に乏しいため、各種資料から症状と疾病の対応を探し出すこと若しくは導出することは困難であり、且つ診断結果の妥当性を確認することや、薬剤処方の内容に関する詳細な情報を確認することは同様に困難である。
【０００７】
また、医療機関での受診予定が輻輳する場合や一定以上の時間的間隔が空く場合、予定忘却により受診できないことが多い。
【０００８】
現在、各種医療機関の多くは利用者情報を電子カルテやレセプト処理系により保持（管理）しているが、それら情報を利用者が主体的且つ任意に参照することは殆どの場合不可能であり、且つ複数の医療機関における当該情報の交換や共有も殆ど行われていない為、利用者を主体とする関連情報の俯瞰的な把握や活用は困難である。
【０００９】
また、医療機関の絶対数に乏しい過疎地や遠隔地においては、診断情報の取得がより一層困難である。
【００１０】
したがって、本発明は、利用者が時間的制約や地理的制約などの上記の種々の制約に煩わされることなく、必要な診断情報を簡単かつ迅速に取得することができるようにさせる、医療情報統合管理装置、医療情報統合管理方法、及び、医療情報統合管理プログラムの提供を目的とする。
【００１１】
【課題を解決するための手段】
図１は本発明の原理構成図である。本発明の第１の局面によれば、図１に示されるように、
利用者に個人向け医療サービスを提供するコンピュータベースの医療情報統合管理装置１であって、
少なくとも二次記憶装置３から医療に関する情報を取得する情報取得手段１１と、
医療に関する情報を蓄積するデータベース１２と、
入力機器４及び出力機器５を含む少なくとも１台の外部機器を接続可能な機器インターフェイス１３と、
上記情報取得手段１１及び上記データベース１２からの医療に関する情報に基づいて、上記機器インターフェイス１３を介して入力された利用者の症状データを処理し、症状データに対応する疾病名データ及び対処法データの候補群と、各候補に関連した確率指標を生成し、生成された候補群及び確率指標を上記機器インターフェイス１３を介して利用者へ提示する医療情報処理手段１４と、
上記機器インターフェイス１３を介する利用者からの要求に応じて、医療機関と健康機関を含む医療関係機関に対する受診予約情報を作成する医療関係機関情報処理手段１５と、
医療関係機関に関連した受診予約情報、薬剤摂取予定情報、及び、ケア関連予定情報のうちの少なくとも一つを含むスケジュール情報を保持し、上記機器インターフェイス１３を介して与えられる利用者からの要求に応じてスケジュール情報を管理し、上記機器インターフェイス１３を介してスケジュール情報に応じた通知情報を利用者へ提示するスケジュール処理手段１６と、
を有する医療情報統合管理装置１が提供される。
【００１２】
医療を受けたり、医療情報を取得したりする利用者は、このような医療情報統合管理装置１を自分の手元に置くことによって、時間的制約や地理的制約などの種々の制約に煩わされることなく、症状に応じた必要な診断情報を簡単かつ迅速に取得することができるようになる。
【００１３】
図２は本発明の医療情報統合管理装置の動作説明図である。本発明の第２の局面によれば、図２に示されるように、
利用者に個人向け医療サービスを提供するコンピュータベースの医療情報統合管理方法であって、
医療に関する情報を取得し、データベース１２に蓄積する手順（ステップ１）と、
機器インターフェイス１３を介して利用者の症状データを入力する手順（ステップ２）と、
データベース１２に蓄積された医療に関する情報に基づいて、症状データを処理し、症状データに対応する疾病名データ及び対処法データの候補群と、各候補に関連した確率指標を生成する手順（ステップ３）と、
生成された候補群及び確率指標を上記機器インターフェイス１３を介して利用者へ提示する手順（ステップ４）と、
上記機器インターフェイス１３を介して利用者によって与えられたスケジュール情報を管理し、通知要求が付されたスケジュール情報の指定日時に到達した場合に、通知要求が付されたスケジュール情報を上記機器インターフェイス１３を介して利用者へ通知する手順（ステップ５）と、
を有する医療情報統合管理方法が提供される。
【００１４】
本発明の第３の局面によれば、
少なくともコンピュータの二次記憶装置から医療に関する情報を取得する情報取得機能と、
医療に関する情報をデータベースに蓄積する機能と、
入力機器及び出力機器を含む少なくとも１台の外部機器を接続可能な機器インターフェイス機能と、
上記医療に関する情報に基づいて、上記入力機器によって入力された利用者の症状データを処理し、症状データに対応する疾病名データ及び対処法データの候補群と、各候補に関連した確率指標を生成し、生成された候補群及び確率指標を上記出力機器を介して利用者へ提示する医療情報処理機能と、
上記入力機器を介した利用者からの要求に応じて、医療機関と健康機関を含む医療関係機関に対する受診予約情報を作成する医療関係機関情報処理機能と、
医療関係機関に関連した受診予約情報、薬剤摂取予定情報、及び、ケア関連予定情報のうちの少なくとも一つを含むスケジュール情報を保持し、上記入力機器を介して与えられる利用者からの要求に応じてスケジュール情報を管理し、上記出力機器を介してスケジュール情報に応じた通知情報を利用者へ提示するスケジュール処理機能と、
を、利用者に個人向け医療サービスを提供するコンピュータに実現させるための医療情報統合管理プログラムが提供される。
【００１５】
本発明の医療情報統合管理プログラムは、利用者に個人向け医療サービスを提供するコンピュータに、更に、
外部機器とネットワークを介して情報の送受信を行う通信インターフェイス機能と、
ネットワークを介して接続された情報サーバから医療に関する情報を取得する機能と、
ネットワークを介して接続された医療関係機関の端末へ受診予約情報を送信し、上記医療関係機関の端末から診断及び治療に関する情報を受信する機能と、
を実現させる。
【００１６】
また、本発明の医療情報統合管理プログラムは、コンピュータに、更に、
利用者の認証を必要とするタイプの情報を通信するための情報を管理し、ネットワークを介して接続された外部機器との間で認証処理を行う認証情報管理機能を実現させる。
【００１７】
また、本発明の医療情報統合管理プログラムは、コンピュータに、更に、
医療サービスの利用情報を、情報閲覧ソフトウェアによって閲覧できるように、時系列的に記録・保持する利用履歴情報管理機能を実現させる。
【００１８】
【発明の実施の形態】
以下、添付図面に例示された実施例を参照して本発明をより詳細に説明する。
【００１９】
図３は、本発明の第１実施例による医療情報統合管理システムの構成図である。
【００２０】
本発明の第１実施例による医療情報統合管理システムは、利用者に個人向け医療サービスを提供するコンピュータベースの医療情報統合管理装置１を含む。医療情報統合管理装置１は、少なくとも二次記憶装置３から医療に関する情報を取得する情報取得部１１と、医療に関する情報及び医療サービスに関連する情報を蓄積するデータベース１２と、入力機器４及び表示出力機器５を含む少なくとも１台の外部機器を接続可能な機器インターフェイス１３と、情報取得部１１及びデータベース１２からの医療に関する情報に基づいて、機器インターフェイス１３を介して入力された利用者の症状データを処理し、症状データに対応する疾病名データ及び対処法データの候補群と、各候補に関連した確率指標を生成し、生成された候補群及び確率指標を機器インターフェイス１３を介して利用者へ提示する医療情報処理部１４と、機器インターフェイス１３を介する利用者からの要求に応じて、医療機関と健康機関を含む医療関係機関に対する受診予約情報を作成する医療関係機関情報処理部１５と、医療関係機関に関連した受診予約情報、薬剤摂取予定情報、及び、ケア関連予定情報のうちの少なくとも一つを含むスケジュール情報を保持し、機器インターフェイス１３を介して与えられる利用者からの要求に応じてスケジュール情報を管理し、機器インターフェイス１３を介してスケジュール情報に応じた通知情報を利用者へ提示するスケジュール処理部１６と、を有する。
【００２１】
医療情報統合管理装置１は、外部機器とネットワーク２を介して情報の送受信を行う通信インターフェイス１７を更に有する。情報取得部１１は、通信インターフェイス１７を介して接続された情報サーバ８からも医療に関する情報を取得するよう構成される。また、医療関係機関情報処理部１５は、通信インターフェイス１７を介して接続された医療関係機関の端末９へ受診予約情報を送信し、医療関係機関の端末９から診断及び治療に関する情報を受信するよう構成されている。
【００２２】
医療情報統合管理装置１は、利用者の認証を必要とするタイプの情報を通信するための情報を管理し、ネットワーク２を介して接続された外部機器８、９との間で認証処理を行う認証情報管理部１８を更に有する。
【００２３】
また、医療情報統合管理装置１は、医療サービスの利用情報を、情報閲覧ソフトウェアによって閲覧できるように、時系列的に記録・保持する利用履歴情報管理部１９を更に有する。
【００２４】
機器インターフェイス１３は、入力機器と、表示出力機器と、音声入出力機器と、生体センサ機器などの機器に接続されるよう構成されている。
【００２５】
図４は、本発明の第１実施例による医療情報統合管理システムの動作を説明するフローチャートである。
【００２６】
ステップ１１：医療情報統合管理装置１の情報取得部１１は、医療に関する情報を２次記憶装置３或いは情報サーバ８などから取得し、データベース１１に蓄積する。
【００２７】
ステップ１２：医療情報処理部１４は、入力機器４、音声入出力機器６、或いは、生体センサ機器７から機器インターフェイス１３を介して利用者の症状データを入力する。
【００２８】
ステップ１３：医療情報処理部１４は、データベース１２に蓄積された医療に関する情報に基づいて、症状データを処理し、症状データに対応する疾病名データ及び対処法データの候補群と、各候補に関連した確率指標を生成する。
【００２９】
ステップ１４：医療情報処理部１４は、生成された候補群及び確率指標を機器インターフェイス１３及び表示出力機器５若しくは音声入出力機器６を介して利用者へ提示する。
【００３０】
ステップ１５：医療関連機関情報処理部１５は、機器インターフェイス１３を介する利用者からの要求に応じて、医療機関と健康機関を含む医療関係機関に対する受診予約情報を作成する。
【００３１】
ステップ１６：医療関連機関情報処理部１５は、通信インターフェイス１７を介して接続された医療関係機関の端末９へ受診予約情報を送信する。
【００３２】
ステップ１７：医療関連機関情報処理部１５は、通信インターフェイス１７を介して医療関係機関の端末９から診断及び治療に関する情報を受信する。
【００３３】
ステップ１８：利用履歴情報管理部１９は、医療サービスの利用情報を、情報閲覧ソフトウェアによって閲覧できるように、時系列的に記録・保持する。
【００３４】
ステップ１９：スケジュール処理部１６は、機器インターフェイス１３を介して利用者によって与えられたスケジュール情報を管理し、通知要求が付されたスケジュール情報の指定日時に到達した場合に、通知要求が付されたスケジュール情報を、機器インターフェイス１３を介して利用者へ通知する。
【００３５】
スケジュール情報には、医療関係機関に関連した受診予約情報、薬剤摂取予定情報、及び、ケア関連予定情報のうちの少なくとも一つが含まれている。
【００３６】
尚、本発明による医療情報統合管理装置によって実現される処理の動作順序は、図４を参照して説明した本発明の第１実施例による医療情報統合管理システムの動作の実行順序に限定されるものではない。たとえば、ステップ１８における利用情報の時系列的な記録・保持や、ステップ１９におけるスケジュール情報の管理と通知は、システムの動作中のどの時点でも行われる可能性がある。
【００３７】
図５は、上記課題を解決するための本発明の第２実施例による医療情報統合管理装置１の機能的ブロック図である。
【００３８】
本発明の第２実施例による医療情報統合管理装置１は、医療を受け、若しくは、医療情報を取得する利用者の手元に存在する計算装置（ＣＰＵ及びメモリ及びハードディスクや不揮発性メモリ等の二次記憶及び外部機器インターフェイス１３及び通信装置インターフェイス１７を備えた独立稼動可能な計算機で、一般的にはデスクトップＰＣやノート型ＰＣ、ＰＤＡ、高機能型携帯電話等に相当するもの）と、その上で稼動するソフトウェア及びデータファイルを含む。医療情報統合管理装置１は、計算装置上で稼働するソフトウェア及びデータファイルによって、医療に関する各種情報（疾病情報、薬剤情報、ＭＥＤＬＩＮＥ等に代表される各種論文情報、各種医療白書等）を取得する機能と、音声若しくはキーボードにより入力又は選択入力された症状に対応する疾病名及び対処方法の候補群を確率指標とともに提示（出力）する機能と、各種医療機関や健康機関の受診予約を行う機能と、医療機関受診予約情報や薬剤摂取予定情報やケア関連予定情報等の各種スケジュール情報を保持し利用者の入力に応じて当該情報の管理（追加・削除・修正等）及び情報通知（アラーム）を行う機能と、装置外部に設置される機器及びソフトウェアとネットワークを介して情報の送受信を行う機能と、利用者個人の情報（秘匿情報）や有料情報等利用者の認証が必要とされる通信処理に付随する認証情報管理機能と、装置の稼動（利用）情報を時系列に記録・保持する機能を提供する。
【００３９】
また、本実施例の医療情報統合管理装置１は、キーボード４１やタッチパネル４２やマウス４３等の入力機器と、各種情報を文字若しくはグラフィックスにより表示出力する表示装置５と、音声による入出力を行う機器６（マイク、スピーカ等）と、血圧計や心拍計等の各種生体センサ機器７を、一つ以上接続することが可能な機器インターフェイスとしての入出力装置インターフェイス１３を提供し、利用形態に応じて各種機器を選択接続することができる。また、医療情報統合管理装置１上で稼動する各種ソフトウェアは、必要に応じて入出力装置インターフェイス１３を介して接続された機器との入出力を行う。
【００４０】
医療情報統合管理装置１上で稼動する各ソフトウェアは、その処理と同期し、処理内容（概要）を日付時刻とともに利用履歴情報ファイル１９１に時系列に記録・保存する。また、利用履歴情報は情報閲覧処理ソフトウェアを介して、情報閲覧処理１９２によって必要に応じて参照し出力される。
【００４１】
医療情報統合管理装置１上で稼動する各ソフトウェアにおいて、装置外部に設置されている機器やソフトウェアとデータ送受信を行う必要が生じた場合は、データ要求通知、通信応答通知、データの全てが認証情報管理処理ソフトウェア１８１を経由した後、通信処理ソフトウェア１７１、１７を介して処理（送受信）される。
【００４２】
また、認証情報管理処理ソフトウェア１８１は、通信要求処理（他ソフトウェアからのデータ要求に伴う通信経路確立処理及び通信データ要求処理）に伴い、あらかじめファイルにて定義される利用者個人情報１８２を参照し、暗号化を施した後に通信接続先外部装置若しくはソフトウェア（以下、情報サーバ８）に送信する。認証情報管理処理１８１により、認証を必要とする情報サーバ８に対し本装置１の正当性を証明し、且つ利用者を特定する情報を伝達することが可能となる。また、認証情報管理処理１８１においては、通信接続先外部装置から認証成功若しくは認証失敗を表すデータが通知（送信）される。認証成功が通知された場合は以降の通信処理を継続実行し、認証失敗が通知された場合は認証情報管理処理ソフトウェア１８１がその旨を通信要求元ソフトウェアに通知し、通信要求元ソフトウェアは必要に応じその旨を、表示装置５等を通じ、利用者に通知する。
【００４３】
また、通信処理ソフトウェア１７１は、認証情報管理処理ソフトウェア１８１から送出される各要求処理別に定義される通信定義情報ファイル１７２を参照し、情報サーバ８や各種医療機関内に設置される各種端末９、９１、９２等の通信相手先情報（ＬＡＮやインターネット等のＴＣＰ接続の場合は相手のＩＰアドレスやホスト名、モデム等を介した電話接続の場合は電話番号等、及びそれぞれにおいて利用する通信デバイス種別等）を確定し、接続を確立する。
【００４４】
情報閲覧処理ソフトウェア１９２は、前記利用履歴情報１９１の取得及び出力（表示）、認証情報管理処理１８１に伴う各種通知の取得及び出力（表示）、各種医療情報を取得する際に必要な検索キーワード等の各種データの入力、取得された各種医療情報の取得及び出力（表示）、疾病に伴う症状の文字列入力及び選択入力及び数値入力、症状に対応する疾病名候補及び対処候補の取得及び出力（表示）、各種医療機関に対する受診予約処理及び予約処理結果の取得及び表示（出力）、及び、スケジュール処理ソフトウェア１６１への通知等を処理する。
【００４５】
また、情報閲覧処理ソフトウェアの処理１９２において、各種医療情報の取得に伴う検索処理は、装置構成及び利用者からの指定により、医療情報統合管理装置１に接続される二次記憶装置３（ＣＤ−ＲＯＭやＤＶＤ−ＲＯＭ等）に含まれる各種データと医療情報統合管理装置１上にて稼動する検索処理ソフトウェア１４１、若しくは、ネットワークを介して医療情報統合管理装置１と接続される情報サーバ８の検索処理８１のうちの少なくとも一方を選択利用できる。
【００４６】
また、情報閲覧処理ソフトウェアの処理１９２において、症状の入力に対応する疾病名候補及び対処候補の取得処理（診断処理）は、装置構成及び利用者からの指定により、医療情報統合管理装置１に接続される二次記憶装置３（ＣＤ−ＲＯＭやＤＶＤ−ＲＯＭ等）に含まれる各種データと医療情報統合管理装置１上にて稼動する診断処理ソフトウェア１４２、若しくは、ネットワークを介して医療情報統合管理装置１と接続される情報サーバ８の診断処理８２のうちの少なくとも一方を選択利用できる。
【００４７】
これにより、検索処理と診断処理に関して、医療情報統合管理装置１上の機能と情報サーバ８上の機能を同時に利用して、双方からの結果を合成し列挙することも可能になる。
【００４８】
スケジュール処理ソフトウェア１６１は、カレンダ等に基づき利用者が入力する任意情報、及び各種医療機関の受診予約情報等の時系列情報を処理する。また、当該情報は日付時刻とともに二次記憶装置上のスケジュール情報ファイルに記録・保存され、且つ必要に応じてスケジュール処理ソフトウェア１６１から参照される。また、スケジュール情報ファイル１６２内の情報において変更（削除・修正）可能なものは、利用者からの指示に基づき、スケジュール処理ソフトウェア１６１を介して処理される。
【００４９】
また、スケジュール処理ソフトウェア１６１は、スケジュール情報ファイル１６２に記録されている情報において通知（アラーム）指定があるものを認識し、指定の日付時刻に到達した際にその旨を利用者に通知（音、音声若しくは表示）する。
【００５０】
本実施例の医療情報統合管理装置１上で稼動するソフトウェアにおいて、スケジュール処理１６１、検索処理１４１、及び、診断処理１４２の各ソフトウェアは、装置構成に基づいて、その稼動・不稼動を選択指定することができる。
【００５１】
上記の本発明の実施例によって実現される医療情報統合管理サービスは、従来医療や統合医療における各種医療サービスの利便性向上、従来医療や統合医療における遠隔地診断・対処サービスとその支援、並びに、従来医療や統合医療における各種医療情報の、利用者を主体とする活用及び管理に適用することが可能である。
【００５２】
上記の本発明の実施例による医療情報統合管理サービスは、ソフトウェア（プログラム）で構築することが可能であり、コンピュータのＣＰＵによってこのプログラムを実行することにより本発明の実施例による医療情報統合管理装置を実現することができる。構築されたプログラムは、ディスク装置等に記録しておき必要に応じてコンピュータにインストールされ、フレキシブルディスク、メモリカード、ＣＤ−ＲＯＭ等の可搬記録媒体に格納して必要に応じてコンピュータにインストールされ、或いは、通信回線等を介してコンピュータにインストールされ、コンピュータのＣＰＵによって実行される。
【００５３】
以上、本発明の代表的な実施例を説明したが、本発明は、上記の実施例に限定されることなく、特許請求の範囲内において、種々変更・応用が可能である。
【００５４】
【発明の効果】
本発明は、従来の医療に加えて代替医療を含む統合医療の推進に伴い、利用者及び医療機関双方における利便性を向上させる効果を生ずる。
【００５５】
また、本発明によれば、医療分野において、医療利用者が特定医療機関や特定医師の判断に依存しない客観性を持つ診断基準とその根拠を取得することが可能となり、医療の透明性の確保において、顕著な効果を奏する。
【００５６】
さらに、医療分野において、ネットワークインフラの配備拡大（普及）と性能向上における実用的な情報送受信速度確保に伴い、遠隔地と都市中心部における医療格差の是正貢献において、顕著な効果を奏する。
【図面の簡単な説明】
【図１】本発明の原理構成図である。
【図２】本発明の医療情報統合管理装置の動作説明図である。
【図３】本発明の第１実施例による医療情報統合管理システムの構成図である。
【図４】本発明の第１実施例による医療情報統合管理システムの動作説明図である。
【図５】本発明の第２実施例による医療情報統合管理装置の機能的ブロック図である。
【符号の説明】
１　　医療情報統合管理装置
３　　２次記憶装置
４　　入力機器
５　　出力機器
１１　　情報取得手段
１２　　データベース
１３　　機器インターフェイス
１４　　医療情報処理手段
１５　　医療関係機関情報処理手段
１６　　スケジュール処理手段
【図１】
2004005263.tif 000003
【図２】
2004005263.tif 000004
【図３】
2004005263.tif 000005
【図４】
2004005263.tif 000006
【図５】
2004005263.tif 000007